(57)【要約】【課題】通信の無駄を生じさせずに、複数の画像形成装置の有するジョブの一覧を取得する。【解決手段】開示の技術の一態様に係るジョブ一覧取得装置は、ネットワークに接続された複数の画像形成装置にそれぞれ蓄積され、ユーザ情報に紐付けられたジョブ情報を収集し、ジョブ一覧を取得するジョブ一覧取得装置であって、受け付けたユーザ操作に応じ、前記ユーザ情報を指定して、情報記憶装置から、前記ジョブ情報が蓄積された前記画像形成装置を特定する蓄積機器情報を取得する蓄積機器情報要求部と、特定された前記画像形成装置から、前記ジョブ情報を取得するジョブ情報要求部と、取得された前記ジョブ情報から前記ジョブ一覧を生成し、表示する表示部と、を有する。【選択図】図６
2020021180.tif 000002
【特許請求の範囲】
【請求項１】
ネットワークに接続された複数の画像形成装置にそれぞれ蓄積され、ユーザ情報に紐付けられたジョブ情報を収集し、ジョブ一覧を取得するジョブ一覧取得装置であって、
受け付けたユーザの操作に応じ、前記ユーザ情報を指定して、情報記憶装置から、前記ジョブ情報が蓄積された前記画像形成装置を特定する蓄積機器情報を取得する蓄積機器情報要求部と、
特定された前記画像形成装置から、前記ジョブ情報を取得するジョブ情報要求部と、
取得された前記ジョブ情報から前記ジョブ一覧を生成し、表示する表示部と、を有する
ジョブ一覧取得装置。
【請求項２】
前記ジョブ一覧取得装置は、認証サーバに接続し、前記認証サーバに前記ユーザの認証を要求する認証要求部を有し、
前記ユーザ情報は、前記認証に成功した前記ユーザを示す情報である
請求項１に記載のジョブ一覧取得装置。
【請求項３】
蓄積機器情報を記憶する情報記憶装置であって、
前記蓄積機器情報は、ネットワークに接続された複数の画像形成装置のうち、ユーザ情報に紐付けられたジョブ情報を蓄積する画像形成装置を特定する情報であり、
前記複数の画像形成装置のそれぞれが送信した前記蓄積機器情報を受信する蓄積機器情報受信部と、
前記蓄積機器情報を記憶する蓄積機器情報記憶部と、
前記複数の画像形成装置のそれぞれが送信したユーザ情報を受信するユーザ情報受信部と、
前記ユーザ情報に基づき、前記蓄積機器情報記憶部を参照して、前記蓄積機器情報を取得する蓄積機器情報取得部と、
取得された前記蓄積機器情報を、前記ユーザ情報を送信した前記画像形成装置に対し、送信する蓄積機器情報送信部と、を有する
情報記憶装置。
【請求項４】
前記蓄積機器情報記憶部が記憶する前記蓄積機器情報を更新する更新部を有する
請求項３に記載の情報記憶装置。
【請求項５】
前記複数の画像形成装置のそれぞれから、ジョブの実行終了を示す信号を受信する終了通知受信部を有し、
前記更新部は、前記終了通知に応じて、前記実行終了したジョブの前記蓄積機器情報を前記蓄積機器情報記憶部から削除する
請求項４に記載の情報記憶装置。
【請求項６】
ネットワークに接続され、ユーザ情報に紐付けられたジョブ情報を記憶する複数の画像形成装置を有する画像形成システムであって、
請求項１、又は２に記載のジョブ一覧取得装置と、
請求項３乃至５の何れか１項に記載の情報記憶装置と、を有する
画像形成システム。
【請求項７】
前記複数の画像形成装置は、
前記情報記憶装置と、
前記ジョブ一覧取得装置と、を含む、
請求項６に記載の画像形成システム。
【請求項８】
前記複数の画像形成装置のそれぞれは、
前記蓄積機器情報を生成する蓄積機器情報生成部と、
前記画像形成装置がジョブを受信した場合に、前記ジョブを解析するジョブ解析部と、を有し、
前記蓄積機器情報生成部は、前記ジョブが解析された後に前記蓄積機器情報を生成する
請求項６、又は７に記載の画像形成システム。
【請求項９】
生成された前記蓄積機器情報を前記情報記憶装置に送信する記憶送信部を有する
請求項６乃至８の何れか１項に記載の画像形成システム。
【請求項１０】
ネットワークに接続された複数の画像形成装置にそれぞれ蓄積され、ユーザ情報に紐付けられたジョブ情報を収集し、ジョブ一覧を取得するジョブ一覧取得装置で実行されるプログラムであって、
受け付けたユーザ操作に応じ、前記ユーザ情報を指定して、情報記憶装置から前記ジョブ情報が蓄積された前記画像形成装置を特定する蓄積機器情報を取得する処理と、
特定された前記画像形成装置から前記ジョブ情報を取得する処理と、
取得された前記ジョブ情報から前記ジョブ一覧を生成し、表示する処理と、
を実行するプログラム。
【請求項１１】
ネットワークに接続された複数の画像形成装置にそれぞれ蓄積され、ユーザ情報に紐付けられたジョブ情報を収集し、ジョブ一覧を取得するジョブ一覧取得装置によるジョブ一覧取得方法であって、
受け付けたユーザ操作に応じ、前記ユーザ情報を指定して、情報記憶装置から前記ジョブ情報が蓄積された前記画像形成装置を特定する蓄積機器情報を取得する工程と、
特定された前記画像形成装置から前記ジョブ情報を取得する工程と、
取得された前記ジョブ情報から前記ジョブ一覧を生成し、表示する工程と、
を含むジョブ一覧取得方法。
【発明の詳細な説明】
【技術分野】
【０００１】
本発明はジョブ一覧取得装置、情報記憶装置、画像形成システム、プログラム、及びジョブ一覧取得方法に関する。
【背景技術】
【０００２】
画像形成装置のＨＤＤ（Hard Disk Drive）で印刷ジョブを一時的に蓄積し、蓄積した印刷ジョブ（ジョブ）をユーザログイン時に一覧表示させ、ユーザがジョブを選択するセキュアプリント機能が知られている。また同じＷＡＮ（Wide Area Network）内の複数の画像形成装置が相互に通信し、各画像形成装置内の有するユーザ情報に紐付いたジョブを１つの画面に全て表示するジョブ一覧合成機能が知られている。
【０００３】
このような画像形成装置として、ネットワークに接続された画像形成装置が他の画像形成装置が蓄積している、ユーザ情報に紐付いたジョブ情報を収集し、ジョブ情報の相互比較によりジョブの重複を排除して、ジョブの一覧を取得する装置が開示されている（例えば、特許文献１参照）。
【発明の概要】
【発明が解決しようとする課題】
【０００４】
しかしながら、特許文献１の装置では、ネットワークに接続された全ての画像形成装置に対して、ユーザ情報に紐付いたジョブ情報の有無を問い合わせる必要がある。そのため、ジョブ情報を蓄積していない画像形成装置に対してジョブ情報の有無を問い合わせるような通信の無駄が生じる場合があった。
【０００５】
本発明は、上記の点に鑑みてなされたものであって、通信の無駄を生じさせずに、複数の画像形成装置の有するジョブの一覧を取得することを課題とする。
【課題を解決するための手段】
【０００６】
開示の技術の一態様に係るジョブ一覧取得装置は、ネットワークに接続された複数の画像形成装置にそれぞれ蓄積され、ユーザ情報に紐付けられたジョブ情報を収集し、ジョブ一覧を取得するジョブ一覧取得装置であって、受け付けたユーザ操作に応じ、前記ユーザ情報を指定して、情報記憶装置から、前記ジョブ情報が蓄積された前記画像形成装置を特定する蓄積機器情報を取得する蓄積機器情報要求部と、特定された前記画像形成装置から、前記ジョブ情報を取得するジョブ情報要求部と、取得された前記ジョブ情報から前記ジョブ一覧を生成し、表示する表示部と、を有する。
【発明の効果】
【０００７】
本発明の実施形態によれば、通信の無駄を生じさせずに、複数の画像形成装置の有するジョブの一覧を取得することができる。
【図面の簡単な説明】
【０００８】
【図１】実施形態に係る印刷システムの構成の一例を示すブロック図である。
【図２】実施形態に係るコンピュータのハードウェア構成の一例を示すブロック図である。
【図３】実施形態に係る画像形成装置のハードウェア構成の一例を示すブロック図である。
【図４】実施形態に係るクライアント端末の構成要素の一例を機能ブロックで示す図である。
【図５】実施形態に係る認証サーバ装置の構成要素の一例を機能ブロックで示す図である。
【図６】実施形態に係る画像形成装置の構成要素の一例を機能ブロックで示す図である。
【図７】第１の実施形態に係る画像形成装置（親機）の構成要素の一例を機能ブロックで示す図である。
【図８】実施形態に係るユーザ認証情報の構成の一例を示す図である。
【図９】実施形態に係る印刷ジョブ情報の構成の一例を示す図である。
【図１０】実施形態に係る蓄積機器情報の構成の一例を示す図である。
【図１１】実施形態に係る認証処理の一例を示すシーケンス図である。
【図１２】実施形態に係るジョブ情報取得処理の一例を説明する図である。
【図１３】実施形態に係るジョブ情報取得処理の一例を示すフローチャートである。
【図１４】実施形態に係るジョブ一覧の表示画面の一例を説明する図である。
【図１５】実施形態に係る印刷中を示す表示画面の一例を説明する図である。
【図１６】実施形態に係る蓄積機器情報の記憶処理の一例を示すシーケンス図である。
【図１７】第２の実施形態に係る画像形成装置（親機）の構成要素の一例を機能ブロックで示す図である。
【図１８】第２の実施形態に係る更新処理の一例を示すシーケンス図である。
【発明を実施するための形態】
【０００９】
以下、図面を参照して発明を実施するための形態について説明する。各図面において、同一構成部分には同一符号を付し、重複した説明を省略する場合がある。
【００１０】
実施形態の用語における、画像形成、印刷は同義語とする。
【００１１】
本実施形態では、画像形成装置１４を含む構成の印刷システム１について説明するが、ジョブ一覧を取得するジョブ一覧取得装置を含む構成の情報処理システムであればよい。
【００１２】
＜システム構成＞
図１は、実施形態に係る印刷システムの構成の一例を示すブロック図である。印刷システム１は、ＬＡＮ（Local Area Network）やＷＡＮ等のネットワークＮ１を介して接続されたクライアント端末１１と、認証サーバ装置１２と、画像形成装置（親機）１３ａと、画像形成装置１３ｂと、画像形成装置１３ｃとを有する。印刷システム１は、例えばActive Directory（アクティブディレクトリ）によりユーザとコンピュータリソースが管理されている。尚、以下では、説明を簡略化するために、画像形成装置（親機）１３ａ、画像形成装置１３ｂ、及び画像形成装置１３ｃを、画像形成装置１３と総称する場合がある。
【００１３】
クライアント端末１１、認証サーバ装置１２、及び画像形成装置１３は、無線又は有線による通信部を有している。図１ではクライアント端末１１、認証サーバ装置１２が１台である例を示しているが、複数台あってもよい。また、画像形成装置１３が３台である例を示しているが、３台以外であってもよい。
【００１４】
画像形成装置（親機）は、印刷システムに含まれる複数の画像形成装置の中から１台選択されることが望ましいが、画像形成装置（親機）が複数台あってもよい。
【００１５】
クライアント端末１１はユーザが利用する端末装置である。クライアント端末１１はスマートフォンや携帯電話、ＰＣ（Personal Computer）などの端末装置である。クライアント端末１１は、画像形成装置１３のそれぞれに対して印刷ジョブを送信する。尚、本実施形態において印刷ジョブとは、画像形成装置１３に印刷処理を行わせるために必要な情報である。以下では、印刷ジョブを単に「ジョブ」と示す場合がある。
【００１６】
認証サーバ装置１２は１台以上の情報処理装置によって実現される。認証サーバ装置１２はユーザ認証情報等の認証に関する情報を保有し、画像形成装置１３等からの要求に基づき認証を行う。
【００１７】
画像形成装置１３はそれぞれ、プリンタ、コピー機、複合機、レーザプリンタ等の出力装置である。画像形成装置１３は、認証サーバ装置１２を利用してユーザ認証を行い、認証に成功したユーザのジョブ一覧やジョブを、画像形成装置（親機）１３ａが備える情報蓄積装置から取得してジョブ一覧の表示や印刷を行う。
【００１８】
尚、図１の印刷システム１の構成は一例であり、他の構成であってもよい。
【００１９】
印刷システム１は、「画像形成システム」の一例である。
【００２０】
＜ハードウェア構成＞
図１のクライアント端末１１、及び認証サーバ装置１２は、図２に示すハードウェア構成のコンピュータ等により実現される。図２は、実施形態に係るコンピュータのハードウェア構成の一例を示すブロック図である。
【００２１】
図２に示されているようにコンピュータ５００は、入力装置５０１と、表示装置５０２と、外部Ｉ／Ｆ（Inter／Face）５０３と、ＲＡＭ（Random Access Memory）５０４と、ＲＯＭ（Read Only Memory）５０５と、ＣＰＵ（Central Processing Unit）５０６と、通信Ｉ／Ｆ５０７と、ＨＤＤ（Hard Disk Drive）５０８とを有し、それぞれがバスＢで相互に電気的に接続されている。尚、入力装置５０１及び表示装置５０２は必要なときに接続して利用する形態であってもよい。
【００２２】
入力装置５０１はキーボード、マウス、タッチパネル等により実現され、コンピュータ５００に各操作信号を入力するのに用いられる。表示装置５０２はディスプレイ等により実現され、コンピュータ５００による処理結果を表示する。
【００２３】
通信Ｉ／Ｆ５０７はコンピュータ５００をネットワークＮ１に接続するインタフェースである。これにより、コンピュータ５００は通信Ｉ／Ｆ５０７を介してデータ通信を行うことができる。
【００２４】
また、ＨＤＤ５０８は、プログラムやデータを格納している不揮発性の記憶装置の一例である。格納されるプログラムやデータには、コンピュータ５００全体を制御する基本ソフトウェアであるＯＳ（Operating System）、及び、ＯＳ上において各種機能を提供するアプリケーション等がある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２５】
外部Ｉ／Ｆ５０３は、外部装置とのインタフェースである。外部装置には、記録媒体５０３ａ等がある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢ（Universal Serial Bus）メモリなどがある。
【００２６】
ＲＯＭ５０５は、電源を切ってもプログラムやデータを保持することができる不揮発性の半導体メモリ（記憶装置）の一例である。ＲＯＭ５０５には、コンピュータ５００の起動時に実行されるＢＩＯＳ（Basic Input/Output System）、ＯＳ設定、及びネットワーク設定などのプログラムやデータが格納されている。ＲＡＭ５０４は、プログラムやデータを一時保持する揮発性の半導体メモリの一例である。
【００２７】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置の一例である。
【００２８】
実施形態に係るクライアント端末１１、及び認証サーバ装置１２は、例えば上記ハードウェア構成のコンピュータ５００上でプログラムを実行することにより、各種機能を実現できる。
【００２９】
図１の画像形成装置１３は、例えば図３に示すようなハードウェア構成のコンピュータにより実現される。図３は、実施形態に係る画像形成装置の一例のハードウェア構成図である。図３に示した画像形成装置１３は、コントローラ６０１と、操作パネル６０２と、外部Ｉ／Ｆ６０３と、通信Ｉ／Ｆ６０４と、プリンタ６０５と、スキャナ６０６とを有する。
【００３０】
コントローラ６０１は、ＣＰＵ６１１と、ＲＡＭ６１２と、ＲＯＭ６１３と、ＮＶＲＡＭ（Non-Volatile RAM）６１４と、ＨＤＤ６１５とを有する。ＲＯＭ６１３は各種プログラムやデータを格納する。ＲＡＭ６１２はプログラムやデータを一時保持する。ＮＶＲＡＭ６１４は、例えば設定情報等を格納している。また、ＨＤＤ６１５は各種プログラムやデータを格納している。
【００３１】
ＣＰＵ６１１は、ＲＯＭ６１３やＮＶＲＡＭ６１４、ＨＤＤ６１５等からプログラムやデータ、設定情報等をＲＡＭ６１２上に読み出し、処理を実行することで、画像形成装置１３全体の制御や機能を実現する。
【００３２】
操作パネル６０２はユーザからの入力を受け付ける入力部と、表示を行う表示部とを備えている。操作パネル６０２は例えばタッチパネルであり、ユーザはパネルに触れることで、パネルに表示されたボタンを押す等の操作をすることができる。
【００３３】
外部Ｉ／Ｆ６０３は外部装置とのインタフェースである。外部装置には、記録媒体６０３ａ等がある。これにより、画像形成装置１３は外部Ｉ／Ｆ６０３を介して記録媒体６０３ａの読み取り及び／又は書き込みを行うことができる。記録媒体６０３ａにはＩＣカード、フレキシブルディスク、ＣＤ、ＤＶＤ、ＳＤメモリカード、ＵＳＢメモリ等がある。
【００３４】
通信Ｉ／Ｆ６０４は、画像形成装置１３をネットワークＮ１に接続するインタフェースである。これにより、画像形成装置１３は通信Ｉ／Ｆ６０４を介してデータ通信を行うことができる。プリンタ６０５は、印刷データを用紙に印刷するための印刷装置である。スキャナ６０６は原稿から画像データ（電子データ）を読み取るための読取装置である。
【００３５】
［第１の実施形態］
＜ソフトウェア構成＞
《クライアント端末》
実施形態に係るクライアント端末１１は、例えば図４に示す機能ブロックにより実現される。図４は、実施形態に係るクライアント端末１１の構成要素の一例を機能ブロックで示す図である。
【００３６】
尚、以下の機能ブロック図に示される各機能ブロックは概念的なものであり、必ずしも物理的に図示の如く構成されていることを要しない。各機能ブロックの全部又は一部を、任意の単位で機能的又は物理的に分散・結合して構成することが可能である。各機能ブロックにて行われる各処理機能は、その全部又は任意の一部が、ＣＰＵにて実行されるプログラムにて実現され、或いはワイヤードロジックによるハードウェアとして実現されうる。
【００３７】
クライアント端末１１はプログラムを実行することにより送信部２１を実現する。送信部２１は画像形成装置１３にユーザ情報を含んだジョブを送信する。尚、図４の機能ブロック図は実施形態の説明に必要な機能ブロックを示したものであり、他の処理ブロックを有していてもよい。
【００３８】
《認証サーバ装置》
実施形態に係る認証サーバ装置１２は、例えば図５に示す機能ブロックにより実現される。図５は、実施形態に係る認証サーバ装置１２の構成要素の一例を機能ブロックで示す図である。図５の認証サーバ装置１２はプログラムを実行することにより、送受信部３１、認証処理部３２及びユーザ認証情報記憶部３３を実現している。
【００３９】
送受信部３１は例えば画像形成装置１３からユーザ名、パスワードを受信し、認証の結果を画像形成装置１３に送信する。認証処理部３２はユーザ認証情報記憶部３３を利用して認証処理を行う。ユーザ認証情報記憶部３３は予めユーザ名、パスワードの組をユーザ認証情報として蓄積している。例えば認証処理部３２は、画像形成装置１３から受信したユーザ名、パスワードの組が、ユーザ認証情報記憶部３３にユーザ認証情報として蓄積されているときに認証成功と判定する。
【００４０】
《画像形成装置》
実施形態に係る画像形成装置１３ｂは、例えば図６に示すような機能ブロックにより実現される。図６は、実施形態に係る画像形成装置１３ｂの構成要素の一例を機能ブロックで示す図である。画像形成装置１３ｂはプログラムを実行することで送受信部５１、操作部５２、蓄積機器情報生成部５３、ジョブ一覧取得部５４、ジョブ解析部５５、印刷設定保持部５６、印刷設定更新部５７及びジョブ情報蓄積部５８を実現している。
【００４１】
送受信部５１は、ジョブ等の情報や信号を送受信する。操作部５２はユーザ操作を受け付ける。
【００４２】
蓄積機器情報生成部５３は、送受信部５１を介してクライアント端末１１からジョブを受信し、受信したジョブに基づいて蓄積機器情報を生成して、送受信部５１を介して画像形成装置（親機）１３ａに送信する。ここで蓄積機器情報とは、ネットワークＮ１に接続された画像形成装置（親機）１３ａ、画像形成装置１３ｂ及び１３ｂのうち、ユーザ情報に紐付けられたジョブ情報を蓄積する画像形成装置を特定する情報である。ユーザ情報には、例えばユーザ名等が含まれる。機器は、例えば画像形成装置（親機）１３ａ、及び画像形成装置１３ｂ〜１３ｃを指している。
【００４３】
例えば、画像形成装置１３ｂがクライアント端末１１からジョブ１３１ｂを受信した場合、蓄積機器情報生成部５３はジョブ１３１ｂのジョブ情報が画像形成装置１３ｂに蓄積されていることを示す蓄積機器情報を生成し、画像形成装置（親機）１３ａに送信する。画像形成装置１３ｂの送受信部５１は、「記憶送信部」の一例である。
【００４４】
ジョブ一覧取得部５４は、画像形成装置（親機）１３ａ、画像形成装置１３ｂ及び１３ｂにそれぞれ蓄積されてユーザ情報に紐付けられたジョブ情報を収集し、ジョブ一覧を取得する。またジョブ一覧取得部５４は、認証要求部５４１と、蓄積機器情報要求部５４２と、ジョブ情報要求部５４３と、表示部５４４とを含んでいる。
【００４５】
認証要求部５４１は認証サーバ装置１２にユーザ名、パスワード等を送信し、ユーザ認証を要求する。認証要求部５４１は、認証成功の認証結果を受けてユーザ情報を取得し、蓄積機器情報要求部５４２及びジョブ情報要求部５４３に出力する。
【００４６】
蓄積機器情報要求部５４２は、入力したユーザ情報を、送受信部５１を介して画像形成装置（親機）１３ａに送信して蓄積機器情報を要求し、送受信部５１を介して画像形成装置（親機）１３ａから蓄積機器情報を取得する。蓄積機器情報要求部５４２は、取得した蓄積機器情報をジョブ情報要求部５４３に出力する。
【００４７】
ジョブ情報要求部５４３は、蓄積機器情報により特定された画像形成装置に対して、送受信部５１を介してユーザ情報を送信し、ユーザ情報に紐付いたジョブ情報を取得する。ジョブ情報要求部５４３は、取得したジョブ情報を表示部５４４に出力する。
【００４８】
またジョブ情報要求部５４３は、ユーザ情報に基づき、自身の備えるジョブ情報蓄積部５８を参照して、画像形成装置１３ｂが蓄積する、ユーザ情報に紐付いたジョブ情報を取得し、表示部５４４に出力する。
【００４９】
尚、実施形態では、ジョブ一覧取得部５４が認証要求部５４１を含み、ユーザ認証によりユーザ情報を取得する例を示したが、これには限定されない。例えば、蓄積機器情報要求部５４２及びジョブ情報要求部５４３は、ユーザが操作パネル６０２を介して入力したユーザ名等を、ユーザ情報として取得し、利用してもよい。
【００５０】
表示部５４４は、入力したジョブ情報のそれぞれから表示情報を抽出し、合成してジョブ一覧を生成する。表示情報は、例えばジョブ情報に含まれるジョブ名等であり、操作パネル６０２の画面にジョブ一覧として表示させる情報である。生成されたジョブ一覧の画面は操作パネル６０２に表示される。尚、表示部５４４は、ジョブ一覧の画面だけでなく、ログイン画面や各種メッセージを表示する画面を操作パネル６０２に表示させてもよい。
【００５１】
ジョブ解析部５５は、送受信部５１を介して受信したジョブを解析して、ジョブ情報を取得し、ジョブ情報に含まれる印刷の設定情報を印刷設定保持部５６に出力する。印刷設定保持部５６は、印刷の設定情報を保持する。取得した印刷の設定情報が現在の設定情報と異なる場合は、印刷設定更新部５７は印刷の設定情報を更新し、印刷設定保持部５６は、更新された印刷の設定情報を保持する。印刷の設定情報は、印刷処理において用いられる。尚、印刷の設定情報は、例えば印刷部数、印刷面数、及び色情報等の設定情報である。
【００５２】
ここで、上述した蓄積機器情報生成部５３は、ジョブ解析部５５によりジョブ解析が行われた後に、蓄積機器情報を生成することが望ましい。蓄積機器情報生成部５３は、ジョブ解析により取得されたジョブ情報をジョブ解析部５５から受け取り、蓄積機器情報の生成に用いることができるためである。
【００５３】
ジョブ情報蓄積部５８は、クライアント端末１１から送受信部５１を介して受信したジョブ情報を蓄積する。ジョブ情報蓄積部５８は、例えばＨＤＤ６１５等により実現される。
【００５４】
ジョブ情報取得部５９は、ジョブ情報の要求元から送受信部５１を介してユーザ情報を受信する。ジョブ情報取得部５９は、受信したユーザ情報に基づき、ジョブ情報蓄積部５８を参照してユーザ情報に紐付いたジョブ情報を取得する。ジョブ情報取得部５９は、取得したジョブ情報を、送受信部５１を介して要求元に送信する。
【００５５】
尚、上記は画像形成装置１３ｂを例に説明したが、画像形成装置１３ｃにおいても同様である。
【００５６】
ジョブ一覧取得部５４は、「ジョブ一覧取得装置」の一例である。
【００５７】
《画像形成装置（親機）》
次に、実施形態に係る画像形成装置（親機）１３ａは、例えば図７に示すような機能ブロックにより実現される。図７は、本実施形態に係る画像形成装置（親機）１３ａの構成要素の一例を機能ブロックで示す図である。尚、図６と重複する部分には図６と同じ番号を付して、説明を省略する。
【００５８】
画像形成装置（親機）１３ａはプログラムを実行することで、情報記憶部６２を実現している。情報記憶部６２は蓄積機器情報を記憶する。また情報記憶部６２は、蓄積機器情報受信部６２１と、蓄積機器情報記憶部６２２と、ユーザ情報受信部６２３と、蓄積機器情報取得部６２４と、蓄積機器情報送信部６２５とを含んでいる。
【００５９】
蓄積機器情報受信部６２１は、画像形成装置１３ｂ及び１３ｂのそれぞれが送信する蓄積機器情報を、送受信部５１を介して受信し、蓄積機器情報記憶部６２２に出力する。蓄積機器情報記憶部６２２は、入力した蓄積機器情報を記憶する。蓄積機器情報記憶部６２２は、例えばＨＤＤ６１５等により実現される。
【００６０】
ユーザ情報受信部６２３は、画像形成装置１３ｂ及び１３ｂのそれぞれが送信するユーザ情報を、送受信部５１を介して受信し、蓄積機器情報取得部６２４に出力する。上述したように、画像形成装置１３ｂ及び１３ｂは、蓄積機器情報を要求する場合に、画像形成装置（親機）１３ａにユーザ情報を送信する。
【００６１】
蓄積機器情報取得部６２４は、入力したユーザ情報に基づき、蓄積機器情報記憶部６２２を参照して蓄積機器情報を取得する。蓄積機器情報取得部６２４は、取得した蓄積機器情報を蓄積機器情報送信部６２５に出力する。蓄積機器情報送信部６２５は、蓄積機器情報の要求元である画像形成装置１３ｂ、又は１３ｃに、入力した蓄積機器情報を送信する。
【００６２】
尚、画像形成装置（親機）１３ａ自身がジョブ一覧を取得する場合は、蓄積機器情報取得部６２４は、認証成功の認証結果を受けて取得したユーザ情報に基づいて、蓄積機器情報記憶部６２２を参照し、蓄積機器情報を取得する。画像形成装置（親機）１３ａは取得した蓄積機器情報を用いてジョブ一覧を生成することができる。
【００６３】
尚、情報記憶部６２は、「情報記憶装置」の一例である。
【００６４】
実施形態では、印刷システム１において、画像形成装置（親機）１３ａを、情報記憶部６２を有する「親機」として設定したが、画像形成装置１３ｂ、又は画像形成装置１３ｃを、情報記憶部６２を有する「親機」として設定してもよい。
【００６５】
《ユーザ認証情報記憶部に記憶されているユーザ認証情報》
図８はユーザ認証情報の構成の一例を示す図である。図８のユーザ認証情報は認証サーバ装置１２のユーザ認証情報記憶部３３に記憶されている。図８のユーザ認証情報は、ユーザ認証情報記憶部３３に予め蓄積されているユーザ名、パスワードの組である。認証処理部３２は図８のユーザ認証情報を利用することで、画像形成装置（親機）１３ａ、画像形成装置１３ｂ、及び画像形成装置１３ｃ等から受信したユーザ名及びパスワードによるユーザ認証の認証成功又は失敗を判定する。ユーザ認証情報のうち、例えばユーザ名がユーザ情報として用いられる。
【００６６】
《ジョブ情報蓄積部に記憶されているジョブ情報》
図９はジョブ情報の構成の一例を示す図である。図９（ａ）はジョブ情報の項目を示し、図９（ｂ）はジョブ情報の項目毎の具体例を示している。図９のジョブ情報は画像形成装置（親機）１３ａ、画像形成装置１３ｂ及び１３ｂがそれぞれ備えるジョブ情報蓄積部５８に記憶されている。
【００６７】
図９に示されているように、ジョブ情報は、項目として文書ＩＤ、ユーザ名、ジョブ名、ジョブ蓄積元、蓄積言語、ページ数、面設定、色情報、及び部数を有している。文書ＩＤはジョブの識別情報の一例である。ユーザ名はジョブを蓄積したユーザの識別情報の一例である。ジョブ名は印刷対象の電子データの識別情報の一例である。ジョブ蓄積元は、例えばＨＤＤ６１５で印刷対象の電子データの存在箇所を示す識別情報の一例である。蓄積言語はユーザが蓄積処理を行ったＰＪＬ（Print Job Language）の識別情報の一例である。ページ数、面設定、色情報及び部数は、印刷の設定を表している。
【００６８】
例えばユーザ情報としてユーザ名が用いられる場合、ジョブ情報の項目のうちのユーザ名が参照され、ユーザ情報に紐付いたジョブ情報が特定される。
【００６９】
《蓄積機器情報記憶部に記憶されている蓄積機器情報》
図１０は蓄積機器情報の構成の一例を示す図である。図１０（ａ）は蓄積機器情報の項目を示し、図１０（ｂ）は蓄積機器情報の項目毎の具体例を示している。図１０の蓄積機器情報は画像形成装置（親機）１３ａの備える蓄積機器情報記憶部６２２に記憶されている。
【００７０】
図１０に示されているように、蓄積機器情報は、項目としてユーザ名、蓄積機器ホスト名、蓄積機器ＩＰ（Internet Protocol）アドレス、蓄積機器ＩＰアドレス（ＩＰｖ６）、及び蓄積機器ポート番号を有している。ユーザ名はジョブを蓄積したユーザの識別情報の一例である。蓄積機器ホスト名は、ジョブ情報を蓄積する画像形成装置の識別情報の一例である。
【００７１】
蓄積機器ＩＰアドレス及び蓄積機器ＩＰアドレス（ＩＰｖ６）は、ネットワークＮ１においてジョブ情報の存在箇所を示す識別情報の一例である。蓄積機器ポート番号はＯＳがデータ通信を行うためのエンドポイントを示す識別情報の一例である。
【００７２】
例えばユーザ情報としてユーザ名が用いられる場合、蓄積機器情報の項目のうちのユーザ名が参照され、ユーザ情報に紐付いたジョブ情報を蓄積する画像形成装置が特定される。
【００７３】
＜処理の詳細＞
以下では、実施形態に係る印刷システム１の処理の詳細について説明する。尚、以下では、印刷システム１において、画像形成装置１３ｂの備えるジョブ一覧取得部５４がユーザ情報に紐付けられたジョブ情報を収集し、ジョブ一覧を取得することを想定する。また画像形成装置１３ｃがユーザ情報に紐付けられたジョブ情報を蓄積していることを想定する。
【００７４】
但し、これに限定はされず、画像形成装置１３ｃの備えるジョブ一覧取得部５４がユーザ情報に紐付けられたジョブ情報を収集し、ジョブ一覧を取得してもよい。また画像形成装置１３ｂや画像形成装置（親機）１３ａがユーザ情報に紐付けられたジョブ情報を蓄積していてもよい。
【００７５】
《ログイン処理》
図１１はログイン処理の一例を示すシーケンス図である。先ず、ユーザは画像形成装置１３ｂの操作パネル６０２を操作してログイン画面の表示を要求し、表示部５４４は要求に応じて、操作パネル６０２にログイン画面を表示させる（ステップＳ２１）。
【００７６】
操作部５２はユーザからログイン画面へのユーザ認証情報の入力を受け付ける（ステップＳ２２）。ユーザ認証情報は例えばユーザ名、パスワード等である。認証要求部５４１はユーザから入力されたユーザ認証情報を認証サーバ装置１２に送信し、ユーザ認証を要求する（ステップＳ２３）。
【００７７】
認証サーバ装置１２の送受信部３１は画像形成装置１３ｂからユーザ認証情報を受信する。認証処理部３２はユーザ認証情報記憶部３３を利用して認証処理を行う（ステップＳ２４）。例えば認証処理部３２は、画像形成装置１３ｂから受信したユーザ認証情報に含まれるユーザ名、パスワードの組が、ユーザ認証情報記憶部３３にユーザ認証情報として蓄積されているときに認証成功と判定し、ユーザの利用権限を設定する。一方で認証処理部３２は、蓄積されていないときは認証失敗と判定し、ユーザの利用権限を設定しない。
【００７８】
認証サーバ装置１２の送受信部３１は認証の結果として認証成功、又は認証失敗を画像形成装置１３ｂに送信する（ステップＳ２５）。認証成功の場合は、ログインは成功し、認証失敗の場合は、ログインは失敗する。
【００７９】
印刷システム１は、ログインの成功によりユーザに利用権限を設定し、また画像形成装置１３ｂはユーザ情報を取得することができる。
【００８０】
《ジョブ一覧取得処理》
次に、実施形態に係るジョブ一覧の取得処理を、図１２〜１５を参照して説明する。図１２は、実施形態に係るジョブ情報取得処理の一例を説明する図である。
【００８１】
画像形成装置１３ｂの蓄積機器情報要求部５４２は、画像形成装置（親機）１３ａに対してユーザ情報を送信し、蓄積機器情報を要求する。
【００８２】
画像形成装置（親機）１３ａの蓄積機器情報取得部６２４は、ユーザ情報受信部６２３が受信したユーザ情報に基づき、蓄積機器情報記憶部６２２を参照して、蓄積機器情報を取得する。蓄積機器情報送信部６２５は、取得された蓄積機器情報を画像形成装置１３ｂに送信する。
【００８３】
画像形成装置１３ｂの蓄積機器情報要求部５４２は、受信した蓄積機器情報を画像形成装置１３ｂのジョブ情報要求部５４３に出力する。画像形成装置１３ｂのジョブ情報要求部５４３は、蓄積機器情報により特定された画像形成装置１３ｃに対して、ユーザ情報を送信し、ユーザ情報に紐付いたジョブ情報を要求する。
【００８４】
画像形成装置１３ｃのジョブ情報取得部５９は、受信したユーザ情報に基づき、画像形成装置１３ｃのジョブ情報蓄積部５８を参照して、ユーザ情報に紐付いたジョブ情報を取得する。画像形成装置１３ｃのジョブ情報取得部５９は、取得したジョブ情報を、画像形成装置１３ｂに送信する。
【００８５】
画像形成装置１３ｂのジョブ情報要求部５４３は、受信したジョブ情報を画像形成装置１３ｂの表示部５４４に出力する。また画像形成装置１３ｂのジョブ情報要求部５４３は、ユーザ情報に基づき画像形成装置１３ｂのジョブ情報蓄積部５８を参照して、画像形成装置１３ｂが蓄積する、ユーザ情報に紐付いたジョブ情報を取得し、画像形成装置１３ｂの表示部５４４に出力する。画像形成装置１３ｂの表示部５４４は、入力したジョブ情報のそれぞれから表示情報を抽出し、合成してジョブ一覧を生成する。生成されたジョブ一覧の画面は、画像形成装置１３ｂの操作パネル６０２に表示される。
【００８６】
図１３は、実施形態に係る画像形成装置１３ｂによるジョブ情報取得処理の一例を示すフローチャートである。
【００８７】
先ず、ユーザは画像形成装置１３ｂの操作パネル６０２を操作して、ジョブ一覧を取得するためのアプリケーションの起動を要求し、画像形成装置１３ｂは要求に応じてアプリケーションを起動させる（ステップＳ８１）。
【００８８】
アプリケーションの起動後、認証要求部５４１は、ログイン処理によりユーザから入力されたユーザ認証情報を認証サーバ装置１２に送信し、ユーザ認証を要求する。認証要求部５４１は、認証成功の認証結果を受けてユーザ情報を取得する（ステップＳ８２）。認証要求部５４１は、取得したユーザ情報を蓄積機器情報要求部５４２及びジョブ情報要求部５４３に出力する。
【００８９】
蓄積機器情報要求部５４２は、入力したユーザ情報を、送受信部５１を介して画像形成装置（親機）１３ａに送信して蓄積機器情報を要求する（ステップＳ８３）。蓄積機器情報要求部５４２は、送受信部５１を介して画像形成装置（親機）１３ａから蓄積機器情報を受信し、取得する（ステップＳ８４）。
【００９０】
蓄積機器情報要求部５４２は、蓄積機器情報に基づき、他機がユーザ情報に紐付いたジョブ情報を蓄積しているかを判断する（ステップＳ８５）。
【００９１】
他機がユーザ情報に紐付いたジョブ情報を蓄積していると判断した場合（ステップＳ８５、Ｙｅｓ）、ジョブ情報要求部５４３は、ユーザ情報に紐付いたジョブ情報を蓄積している他機に対し、ユーザ情報を送信してジョブ情報を要求する（ステップＳ８６）。実施形態では、画像形成装置１３ｃがユーザ情報に紐付けられたジョブ情報を蓄積していることを想定するため、ジョブ情報要求部５４３は、画像形成装置１３ｃに対してユーザ情報を送信し、ジョブ情報を要求する。
【００９２】
ジョブ情報要求部５４３は、画像形成装置１３ｃからユーザ情報に紐付いたジョブ情報を受信する（ステップＳ８７）。
【００９３】
一方、他機がユーザ情報に紐付いたジョブ情報を蓄積していないと判断した場合（ステップＳ８５、Ｎｏ）、ステップＳ８８に移る。
【００９４】
次に、ジョブ情報要求部５４３は、ユーザ情報に基づき、画像形成装置１３ｂのジョブ情報蓄積部５８を参照して、画像形成装置１３ｂが蓄積する、ユーザ情報に紐付いたジョブ情報を取得する（ステップＳ８８）。ジョブ情報要求部５４３は、画像形成装置１３ｂ（自機）及び画像形成装置１３ｃ（他機）から取得したジョブ情報を表示部５４４に出力する。
【００９５】
表示部５４４は、入力したジョブ情報のそれぞれから表示情報を抽出し、これらを合成してジョブ一覧を生成する（ステップＳ８９）。表示部５４４は、生成したジョブ一覧の画面を、画像形成装置１３ｂの操作パネル６０２に表示する（ステップＳ９０）。
【００９６】
このようにして、画像形成装置１３ｂの備えるジョブ一覧取得部５４は、ユーザ情報に紐付けられたジョブ情報を収集し、ジョブ一覧を取得することができる。
【００９７】
ここで、図１４は、実施形態に係るジョブ一覧を表示する画面の一例を説明する図である。図１４は、画像形成装置１３ｂの操作パネル６０２に表示される画面を示している。図１４に示されているように、操作パネル６０２の画面には、名称ラベル６０２１と、更新ボタン６０２２と、ジョブ数ラベル６０２３と、条件変更ボタン６０２４と、削除ボタン６０２５と、印刷ボタン６０２６と、ジョブ選択ボタン６０２７が含まれる。
【００９８】
名称ラベル６０２１は、タイトル表示とサーバ名称を表示する。更新ボタン６０２２が押されることで、表示部５４４は画面の表示内容を更新する。ジョブ数ラベル６０２３は、ユーザ情報に紐付けられ、収集されたジョブ数を表示する。
【００９９】
条件変更ボタン６０２４が押されることで、表示部５４４は蓄積時の印刷条件を変更する。削除ボタン６０２５が押されることで、表示部５４４は選択されたジョブを削除する。印刷ボタン６０２６が押されることで、表示部５４４は選択されたジョブの実行指令をプリンタ６０５に送信する。
【０１００】
ジョブ選択ボタン６０２７は、ユーザ情報に紐付けられたジョブの一覧を表示する。尚、表示される内容は、ジョブ情報に含まれる情報の中から予め選択され、設定されており、適宜変更可能である。図１４の例では、ジョブ名、ジョブの蓄積処理が実行された日、ページ数、部数、面設定、及び色情報が表示されている。面設定は、例えば用紙の表面のみ印刷する場合は、「１  Ｓｉｄｅｄ」が表示され、表面と裏面の両面に印刷する場合は「２  Ｓｉｄｅｄ」が表示される。色情報は、モノクロ印刷の場合は「Ｂ＆Ｗ」が表示され、カラー印刷の場合は「ＣＯＬＯＲ」が表示される。
【０１０１】
ジョブ選択ボタン６０２７が押されることで、印刷や削除等の処理を行いたいジョブが選択される。このようにして、ユーザが蓄積したジョブのうちの必要なジョブを選択し、必要なときに処理することができる。また実施形態ではユーザ認証処理を実行しているため、ユーザの蓄積したジョブのセキュリティを確保することができる。
【０１０２】
図１５は、実施形態に係る印刷中を示す表示画面の一例を説明する図である。図１５は、図１４において、ジョブ選択ボタン６０２７で「ａａａ．Ｔｘｔ」で示されるジョブが選択され、印刷ボタン６０２６が押されて印刷処理が実行された場合に、操作パネル６０２に表示される画面を示している。
【０１０３】
《蓄積機器情報の記憶処理》
次に、実施形態に係る蓄積機器情報の記憶処理を、図１６を参照して説明する。図１６は、実施形態に係る蓄積機器情報の記憶処理の一例を示すシーケンス図である。図１６は、クライアント端末１１が画像形成装置１３ｂ及び１３ｃにジョブを送信し、画像形成装置１３ｂ及び１３ｃが蓄積機器情報を画像形成装置（親機）１３ａに送信する処理を示している。また図１６は、画像形成装置（親機）１３ａが、受信した蓄積機器情報を記憶する処理を示している。
【０１０４】
先ず、クライアント端末１１の入力装置５０１がユーザにより操作され、クライアント端末１１は画像形成装置１３ｂに対する印刷指令を入力する（ステップＳ１２１）。クライアント端末１１は印刷指令に応じて画像形成装置１３ｂにジョブを送信する（ステップＳ１２２）。
【０１０５】
画像形成装置１３ｂのジョブ解析部５５は、クライアント端末１１から送受信部５１を介して受信したジョブを解析して、ジョブ情報（図９参照）を取得する（ステップＳ１２３）。ジョブ解析部５５は、取得したジョブ情報を画像形成装置１３ｂの蓄積機器情報生成部５３に出力する。
【０１０６】
画像形成装置１３ｂの蓄積機器情報生成部５３は、入力したジョブ情報に基づき、蓄積機器情報（図１０参照）を生成し（ステップＳ１２４）、生成した蓄積機器情報を、画像形成装置１３ｂの送受信部５１を介して画像形成装置（親機）１３ａに送信する（ステップＳ１２５）。
【０１０７】
画像形成装置（親機）１３ａの蓄積機器情報受信部６２１は、画像形成装置（親機）１３ａの送受信部５１を介して蓄積機器情報を受信し、画像形成装置（親機）１３ａの蓄積機器情報記憶部６２２に出力する。画像形成装置（親機）１３ａの蓄積機器情報記憶部６２２は、入力した蓄積機器情報を記憶する（ステップＳ１２６）。
【０１０８】
クライアント端末１１の入力装置５０１がユーザにより操作され、クライアント端末１１は画像形成装置１３ｃに対する印刷指令を入力する（ステップＳ１２７）。クライアント端末１１は印刷指令に応じて画像形成装置１３ｃにジョブを送信する（ステップＳ１２８）。
【０１０９】
画像形成装置１３ｃのジョブ解析部５５は、クライアント端末１１から画像形成装置１３ｃの送受信部５１を介して受信したジョブを解析して、ジョブ情報を取得する（ステップＳ１２９）。画像形成装置１３ｃのジョブ解析部５５は、取得したジョブ情報を画像形成装置１３ｃの蓄積機器情報生成部５３に出力する。
【０１１０】
画像形成装置１３ｃの蓄積機器情報生成部５３は、入力したジョブ情報に基づき、蓄積機器情報を生成し（ステップＳ１３０）、生成した蓄積機器情報を、画像形成装置１３ｃの送受信部５１を介して画像形成装置（親機）１３ａに送信する（ステップＳ１３１）。
【０１１１】
画像形成装置（親機）１３ａの蓄積機器情報受信部６２１は、画像形成装置（親機）１３ａの送受信部５１を介して蓄積機器情報を受信し、画像形成装置（親機）１３ａの蓄積機器情報記憶部６２２に出力する。画像形成装置（親機）１３ａの蓄積機器情報記憶部６２２は、入力した蓄積機器情報を記憶する（ステップＳ１３２）。
【０１１２】
このようにして、画像形成装置（親機）１３ａは、蓄積機器情報を蓄積機器情報記憶部６２２に記憶することができる。
【０１１３】
以上説明してきたように、実施形態に係る印刷システム１では、画像形成装置（親機）１３ａの有する蓄積機器情報に基づき、ユーザ情報に紐付いたジョブ情報を蓄積している画像形成装置を特定する。そして特定された画像形成装置に対してジョブ情報を要求する。これにより、ジョブ情報を蓄積していない画像形成装置に対してジョブ情報の有無を問い合わせることがなくなるため、通信の無駄を防ぎ、通信負荷を抑制することができる。
【０１１４】
またジョブ情報を蓄積するＨＤＤ等のハードウェアには、通電時間やデータの書込時間に上限（寿命）がある場合がある。ジョブ情報を蓄積していない画像形成装置に対するジョブ情報の有無の問い合わせは、通電やデータの書込により、ハードウェアを無駄に劣化させる。実施形態により、このようなハードウェアの劣化を防ぐことができる。
【０１１５】
さらに、画像形成装置では、待機時に、装置の備える機能の一部を制限（スリープ状態）し、省電力を図る場合がある。画像形成装置がスリープ状態の場合に、ジョブ情報の有無の問い合わせを受けることで、スリープ状態から、装置の備える機能の一部を制限しない通常状態に、画像形成装置が復帰する場合がある。画像形成装置がジョブ情報を蓄積していない場合、このような復帰は、無駄な電力の消費となる。実施形態により、このような電力の消費を防ぐことができる。
【０１１６】
［第２の実施形態］
次に、第２の実施形態に係る画像形成システムの一例を説明する。尚、既に説明した実施形態と同一構成部についての説明は省略する。
【０１１７】
本実施形態では、印刷システム１ａの備える画像形成装置（親機）１５は、蓄積機器情報を更新することができる。図１７は、本実施形態に係る画像形成装置（親機）１５の構成要素の一例を機能ブロックで示す図である。
【０１１８】
画像形成装置（親機）１５は、プログラムを実行することで、情報記憶部６２ａを実現している。情報記憶部６２ａは、終了通知受信部６２６と、更新部６２７とを含んでいる。
【０１１９】
終了通知受信部６２６は、印刷システム１ａに含まれる画像形成装置１３ｂ、又は画像形成装置１３ｃのそれぞれから、送受信部５１を介して、ジョブの実行終了を示す信号を受信する。ジョブの実行終了を示す信号には、印刷が終了したジョブを示す信号が含まれる。終了通知受信部６２６は、実行が終了したジョブを示す信号を更新部６２７に出力する。更新部６２７は、実行が終了したジョブの蓄積機器情報を蓄積機器情報記憶部６２２から削除する。
【０１２０】
図１８は、本実施形態に係る更新処理の一例を示すシーケンス図である。図１８は、クライアント端末１１が画像形成装置１３ｂにジョブを送信し、画像形成装置１３ｂが蓄積機器情報を画像形成装置（親機）１３ａに送信して、画像形成装置（親機）１３ａが蓄積機器情報を記憶する処理を示している。また画像形成装置１３ｂがジョブ一覧を取得し、ジョブの実行を終了した後、画像形成装置（親機）１５が蓄積機器情報記憶部６２２を更新する処理を示している。
【０１２１】
ステップＳ１８１〜Ｓ１８６までの処理は、図１６のステップＳ１２１〜Ｓ１２６までの処理と同様であるため、説明を省略する。
【０１２２】
ユーザは画像形成装置１３ｂの操作パネル６０２を操作して、ジョブ一覧を取得するためのアプリケーションの起動を要求し、画像形成装置１３ｂは要求に応じてアプリケーションを起動させる（ステップＳ１８７）。その後、画像形成装置１３ｂのジョブ一覧取得部５４は、図１３で説明した処理を実行し、ジョブ一覧を取得する（ステップＳ１８８）。
【０１２３】
ユーザは画像形成装置１３ｂの操作パネル６０２を操作し、印刷を行いたいジョブを選択して、印刷を実行する（ステップＳ１８９）。印刷が完了したら、画像形成装置１３ｂはジョブの実行終了を示す信号を、画像形成装置１３ｂの送受信部５１を介して画像形成装置（親機）１５に送信する（ステップＳ１９０）。
【０１２４】
画像形成装置（親機）１５の終了通知受信部６２６は、画像形成装置（親機）１５の送受信部５１を介してジョブの実行終了を示す終了通知を受信する。終了通知受信部６２６は、実行が終了したジョブを示す信号を更新部６２７に出力する。更新部６２７は、実行が終了したジョブの蓄積機器情報を蓄積機器情報記憶部６２２から削除する（ステップＳ１９１）。
【０１２５】
このようにして、印刷システム１ａの備える画像形成装置（親機）１５は、蓄積機器情報を更新することができる。
【０１２６】
以上説明してきたように、実施形態に係る印刷システム１ａでは、画像形成装置（親機）１５は、ジョブの実行終了を示す信号に応じて、実行を終了したジョブの蓄積機器情報を蓄積機器情報記憶部６２２から削除する。これにより、蓄積機器情報記憶部６２２の記憶容量の負荷を抑制することができる。また例えば、ユーザが操作パネル６０２を操作して、実行を終了したジョブのジョブ情報及び蓄積機器情報を、手動で削除する等の手間を削減することができる。
【０１２７】
以上、実施形態に係るジョブ一覧取得装置、情報記憶装置及び画像形成システムについて説明したが、本発明は上記実施形態に限定されるものではなく、本発明の範囲内で種々の変形及び改良が可能である。
【０１２８】
また、本実施形態は、ジョブ一覧取得方法も含む。例えば、ジョブ一覧取得方法は、ネットワークに接続された複数の画像形成装置にそれぞれ蓄積され、ユーザ情報に紐付けられたジョブ情報を収集し、ジョブ一覧を取得するジョブ一覧取得装置によるジョブ一覧取得方法であって、受け付けたユーザ操作に応じ、前記ユーザ情報を指定して、情報記憶装置から前記ジョブ情報が蓄積された前記画像形成装置を特定する蓄積機器情報を取得する工程と、特定された前記画像形成装置から前記ジョブ情報を取得する工程と、取得された前記ジョブ情報から前記ジョブ一覧を生成し、表示する工程とを含む。このようなジョブ一覧取得方法によれば、上記の画像形成システムにおけるジョブ一覧取得部と同様の効果を得ることができる。このようなジョブ一覧取得方法は、ＣＰＵ、ＬＳＩなどの回路、ＩＣカード又は単体のモジュール等によって、実現されてもよい。
【符号の説明】
【０１２９】
１、１ａ  印刷システム
１１      クライアント端末
１２      認証サーバ装置
１３ａ    画像形成装置（親機）
１３ｂ、１３ｃ  画像形成装置
２１      送信部
３１      送受信部
３２      認証処理部
３３      ユーザ認証情報記憶部
５１      送受信部
５２      操作部
５３      蓄積機器情報生成部
５４      ジョブ一覧取得部
５４１    認証要求部
５４２    蓄積機器情報要求部
５４３    ジョブ情報要求部
５４４    表示部
５５      ジョブ解析部
５６      印刷設定保持部
５７      印刷設定更新部
５８      ジョブ情報蓄積部
５９      ジョブ情報取得部
６２      情報記憶部
６２１    蓄積機器情報受信部
６２２    蓄積機器情報記憶部
６２３    ユーザ情報受信部
６２４    蓄積機器情報取得部
６２５    蓄積機器情報送信部
６２６    終了通知受信部
６２７    更新部
５００    コンピュータ
５０１    入力装置
５０２    表示装置
５０３    外部Ｉ／Ｆ
５０３ａ  記録媒体
５０４    ＲＡＭ
５０５    ＲＯＭ
５０６    ＣＰＵ
５０７    通信Ｉ／Ｆ
５０８    ＨＤＤ
６０１    コントローラ
６０２    操作パネル
６０３    外部Ｉ／Ｆ
６０４    通信Ｉ／Ｆ
６０５    プリンタ
６０６    スキャナ
６１１    ＣＰＵ
６１２    ＲＡＭ
６１３    ＲＯＭ
６１４    ＮＶＲＡＭ
６１５    ＨＤＤ
Ｂ        バス
Ｎ１      ネットワーク
【先行技術文献】
【特許文献】
【０１３０】
【特許文献１】特開２００５−２９７３６３号公報
【図１】
2020021180.tif 000003
【図２】
2020021180.tif 000004
【図３】
2020021180.tif 000005
【図４】
2020021180.tif 000006
【図５】
2020021180.tif 000007
【図６】
2020021180.tif 000008
【図７】
2020021180.tif 000009
【図８】
2020021180.tif 000010
【図９】
2020021180.tif 000011
【図１０】
2020021180.tif 000012
【図１１】
2020021180.tif 000013
【図１２】
2020021180.tif 000014
【図１３】
2020021180.tif 000015
【図１４】
2020021180.tif 000016
【図１５】
2020021180.tif 000017
【図１６】
2020021180.tif 000018
【図１７】
2020021180.tif 000019
【図１８】
2020021180.tif 000020